(57)【要約】      （修正有）【課題】刈払機において、金属製草刈刃とリールに巻かれ繰り出しと巻き取りが可能な樹脂コード製草刈刃を備え両者をバランスの良い位置関係とすることにより様々な条件下での草刈り作業を１つの刈り刃をもって安全にきれいにしかも短時間でこなす刈払機用二種合体草刈刃を提供する。【解決手段】草刈刃取り付け軸にネジで固定される本体プレート１０に、リール２に巻かれた繰り出しと巻取りが可能な樹脂コード製草刈刃７、その樹脂コードを緩固定する一対のコードガイド６、交換可能な一対の金属製草刈刃８が装着されている草刈刃である。【選択図】図１
2007252359.tif 000002
【特許請求の範囲】
【請求項１】
刈払機用の草刈刃において草刈刃取り付け軸にネジで固定される本体プレートと呼ぶ基盤上には（イ）リールに巻かれた繰り出しと巻き取りが可能な樹脂コード製草刈刃、（ロ）その樹脂コードを緩固定する１対のコードガイド、（ハ）交換可能な１対の金属製草刈刃の３点が装着されている草刈刃である。
（イ）リールと樹脂コード製草刈刃について詳しく述べるに前記リールは本体プレート中央部に外気に露出した状態で取り付けられており本体プレートに対し回転可能である、また一定の角度ごとにその回転をロックできる機構が付いている。
前記樹脂コード製草刈刃が概リールに巻きつけられた様態は、概リール部の側壁面に設けたフックに１本の所定長さの樹脂コード製草刈刃を２つ折にしたものを引っ掛けて始点としリールに２条巻きにしてある、その２本の樹脂コード製草刈刃の終端長は互いに反対方向になるよう放射状にリール外に引き出され、その最終端は金属製草刈刃の最外周径より突出するように長さを設定し、その途中部分は本体プレート上に設けたコードガイドにて緩固定される。
（ロ）コードガイドについて詳しく述べるに前記コードガイドは前記本体プレート外周に近い位置で中心に対し対角線上の２点に設けその形状は、樹脂コード製草刈刃を挿通する開口部を有し樹脂コード製草刈刃が接する部分は円弧形状でありそのコードガイドの開口部の向く方向はリールから伸びた樹脂コード製草刈刃が開口部に挿通されたときに直線的でなく９０度未満の角度で曲げられ外側に伸びるよう設定してある。
（ハ）金属製草刈刃について詳しく述べるに交換可能な前記金属製草刈刃は前記コードガイドと９０度の角度差で本体プレート周縁部に２枚、その切れ刃部分を本体プレートより突出させた状態でネジ止めされているが、その刃の取り付け方は表、裏、上、下と４様態を以って又は上、下の２態様を以って前記本体プレートに取り付けできるよう穴加工されている。また金属製草刈刃は使用目的に応じて選べる二種類がある。
以上の構造からなる刈払機用二種合体草刈刃
【請求項２】
請求項１に記載の刈払機用二種合体草刈刃においてリールは本体プレートと一体であり回転のロック機構のないもの。
【請求項３】
請求項１に記載の刈払機用二種合体草刈刃において金属製草刈刃は本体プレートと一体であり刃の交換のできないもの。
【請求項４】
請求項１に記載の刈払機用二種合体草刈刃においてリールは本体プレートと一体であり回転のロック機構のないものまた金属製草刈刃も本体プレートと一体であり刃の交換のできないもの。
【請求項５】
上記の草刈り刃を備えた草刈機
【請求項６】
請求項１，２、５に使用する金属刃で四角形と鋸歯形のもの
【発明の詳細な説明】
【技術分野】
【０００１】    本発明は草木類を刈り取るための刈払機用の草刈刃とこれを備えた刈払機に関するものであり、詳細には樹脂コード製草刈刃と金属製草刈刃が合体した草刈刃とこの合体草刈刃を備えた刈払機に関するものである。
【背景技術】
【０００２】    現状の刈払機用の草刈刃を大別すると樹脂コード製草刈刃と金属製草刈刃とがあるがそれぞれに特長があり、その得意とする分野が明確に分かれている。すなわち樹脂コード製草刈刃は安全性が高くほとんどの条件の草刈が可能でありしかもぎりぎり短く刈れるので刈り跡がきれいである。刈り取った草はチップになってしまうので後片付けの必要もない。特に金属製草刈刃の苦手とする障害物の際刈りや異物の混じっている草むらや砂利のあるところも安全に草刈りが出来るが、欠点として硬い草や小枝などは刈り取る事が出来ないか又は極端に時間がかかり、樹脂製コード草刈刃の消耗も激しいという最大の弱点がある。
金属製草刈刃は、刃の枚数は２〜数１０枚刃とさまざまであり材質も鋼だけでなく超鋼チップを先端につけたものがある。草も小枝も良く切れ、刈り取りの能率が高い利点がある反面障害物に接触した場合には、その自らの刃が破損したり相手を傷つけたり壊したりし危険性も高く犠牲も大きい。チップソー等は一瞬にして刃こぼれを起こし研ぎなおしも利かないので使用場所を考慮して使わないと不経済である。
よって、この二種類の草刈り刃をうまく合体させれば短時間にさまざまな条件下での草刈り作業ができるが今まで適切なものがなかった。
本発明はこれらの問題点を解決するためになされたものである。【０００３】    出願された樹脂コード製草刈刃と金属製草刈刃が合体した草刈刃には交換用の短い樹脂コードを持ち歩かなければならないもの（たとえば特許文献１、３参照）金属の代わりに樹脂製の草刈り刃のもの（たとえば特許文献２参照）などがある。
【特許文献１】特許公開平成１０−２３４２１６（第７頁、図１６）
【特許文献２】特許公開平成１１−２３５１１３（第７頁、図１７）
【特許文献３】特許公開２，０００−３０８４０７（第７頁、図１８）
【発明の開示】
【発明が解決しようとする課題】
【０００４】    特性の全く違う樹脂コード製と金属製二種類の草刈り刃をうまく組み合わせればさまざまな条件下での草刈り作業が能率良くできると思われるが従来のものは樹脂コード製の草刈り刃が取り付け部分で切れやすい、樹脂製コードの長さ調節が簡単に出来ない、自身の金属刃で樹脂コード製の草刈り刃を切りとってしまうなどの問題が考えられる。又所定の長さの樹脂コードを交換する方式のものではコードを持ち歩くのも交換するのも面倒でありこのタイプは特にごみになる部分が多く不経済などの課題もある。
どのような条件下で草刈り作業をしても樹脂コードが自然消耗を除き容易には切断されず又その長さの調節も簡単に出来て草刈り能率の良い刃の登場が待ち望まれている。
【課題を解決するための手段】
【０００５】    刈払機用の草刈刃において草刈刃取り付け軸にネジで固定される本体プレートと呼ぶ基盤上には（イ）リールに巻かれた繰り出しと巻き取りが可能な樹脂コード製草刈刃、（ロ）その樹脂コードを緩固定する１対のコードガイド、（ハ）交換可能な１対の金属製草刈刃の３点が装着されている草刈刃である。
（イ）リールと樹脂コード製草刈刃について詳しく述べるに前記リールは本体プレート中央部に外気に露出した状態で取り付けられており本体プレートに対し回転可能である、また一定の角度ごとにその回転をロックできる機構が付いている。
前記樹脂コード製草刈刃が概リールに巻きつけられた様態は、概リール部の側壁面に設けたフックに１本の所定長さの樹脂コード製草刈刃を２つ折にしたものを引っ掛けて始点としリールに２条巻きにしてある、その２本の樹脂コード製草刈刃の終端長は互いに反対方向になるよう放射状にリール外に引き出され、その最終端は金属製草刈刃の最外周径より突出するように長さを設定し、その途中部分は本体プレート上に設けたコードガイドにて緩固定される。
（ロ）コードガイドについて詳しく述べるに前記コードガイドは前記本体プレート外周に近い位置で中心に対し対角線上の２点に設けその形状は、樹脂コード製草刈刃を挿通する開口部を有し樹脂コード製草刈刃が接する部分は円弧形状でありそのコードガイドの開口部の向く方向はリールから伸びた樹脂コード製草刈刃が開口部に挿通されたときに直線的でなく９０度未満の角度で曲げられ外側に伸びるよう設定してある。
（ハ）金属製草刈刃について詳しく述べるに交換可能な前記金属製草刈刃は前記コードガイドと９０度の角度差で本体プレート周縁部に２枚、その切れ刃部分を本体プレートより突出させた状態でネジ止めされているが、その刃の取り付け方は表、裏、上、下と４様態を以って又は上、下の２態様を以って前記本体プレートに取り付けできるよう穴加工されている。また金属製草刈刃は使用目的に応じて選べる二種類がある。
以上の構造からなる刈払機用二種合体草刈刃
【発明の効果】
【０００６】    現状の草刈り作業は硬い草柔らかい草が混在している場合が多いが、環境の変わるたびに刃物を付け替えるか又はもう一台の刈払機を用意し別の草刈り刃をつけておくというのもなかなかおっくうな作業であるので、状況判断でどちらか一方の草刈り刃を我慢して使い通すというのが現状ではなかろうか。一般にはとりあえず金属製の草刈り刃であるならば大抵の草を刈ることができるので、障害物がありそうな草むらやフェンス脇の草を刈るときは壊れても惜しくないような金属刃を取り付け刈払機の回転を落として使うというのが普通である。【０００７】    本発明の刈払機用二種合体草刈刃を使用するに当たり金属製草刈刃より１０センチメートル程度樹脂コード製草刈り刃を突出させて使用する場合は樹脂コード製草刈り刃の性格が強く出て草刈り作業が出来るがこれで切れないような硬い草が現れた時は刈払機をただ強く薙ぎ払えば内側の金属刃が露出しすなわち硬い草はこちらの刃で刈りとることができ作業の中断がない。硬い草が多く生えている草刈り現場では樹脂コード製草刈り刃の突出長を多少控えめに設定することにより金属刃の性格が強く出て効率よく刈ることができ且つ樹脂コード製草刈刃の性格をも残しているのでフェンスの際刈りなどに便利である。柔らかい草が多く生えている現場では思い切ってコードを長めに設定すると刃の直径が大きくなり金属刃よりはるかに効率よく草を刈り取ることができる。
つまりコードの突出長さを自由に設定できるために、細かく草刈刃の性格付けが出来るので危険性はより少なく効率よく作業を進める事ができる。
例としてエンジンを停止することなく刈れる場所を挙げればブロック塀の周り庭石の周り砂利道に生えた草、垣根の刈り込み、立ち木や果樹の周りに生えた草、何が中に捨てられているか外から分からない藪、畑の草、田んぼのあぜ道、芝生の刈り込みまでなどが消耗した樹脂コード製草刈刃をワンタッチで引き伸ばすのみでエンジンを停止したり刃物を取り換えたりすることなくほぼ連続した作業ができる。そして草刈り後は刈り取った草は粉々のチップになっているので片付けの必要もなくきれいである。
特殊な使い方としては樹脂コードを伸ばしぎみにしてエンジン回転はゆっくりで果樹の立木の古い皮むきとか害虫の卵つぶし、ごみを吹き飛ばすなどの使い方もできる。樹脂コードはエンジンの回転を上げれば鋭い刃物になるし回転を下げて使えばほうきにもなるわけである。結果としてこの二種合体草刈刃は次の特徴を持つ
（イ）金属刃の持ちが良い
金属刃が切れなくなる主な理由は長時間使用したからよりは石など何か堅いものに打ち当てて刃こぼれをさせた場合が多いのが現状である。草に隠れて何か異物が在りそうな現場はまず樹脂コード製草刈刃で先行刈りをして陰になった部分を露出させ確認する事が出来るのでいきなり隠れている硬いものに金属刃を衝突させたりガラス瓶を割ったりするなどの確立が低いので安全性が高く又金属刃の切れ味も長持ちする。しかも金属刃は必要最小限の部分で交換可能なのでランニングコストが安く又使用目的に応じたタイプのものに交換する事もできる。更に上下、裏表を逆にすることで刃先の研ぎ直しなしで２倍または４倍にも使うことが出来るのでグラインダーなどが近くになくて研ぎなおしができない場所では便利である。
（ロ）樹脂コード製草刈刃がなかなか減らない
硬い草や茎、小枝などを無理に刈るからコードが極端に早く消耗するわけでありそのときは刃の回転数や樹脂コードの突出長を適宜調節し金属刃で刈れば樹脂製コード草刈刃をいたずらに打ち当てて消耗させることもないので樹脂コード製草刈刃のみで草刈りをした場合と比べるとはるかにその寿命は長い。
つまりお互いの刃がお互いの弱点をうまいぐあいにカバーしあう構造である。
（ハ）利点をあげてみると以下のようになる。
作業が早い  安全性が高い  維持コスト安い  相手を壊さない  不要なごみを出さない  刈り跡がきれい  草刈以外の仕事も出来る
【発明を実施するための最良の形態】
【０００８】    基本構造は図１、図２、図３に示すように金属製草刈刃８を対称に２箇所設け、その中間の位置に樹脂コード製草刈刃７を配置する二種合体草刈刃である。
金属刃の枚数は２枚で少ないように感じるが実際は何の支障もない。本体プレート１０の形は図では四角く描いてあるが丸形でも、もっと肉をそぎ落とした形でも良い。
（イ）第一実施例は請求項１に示すように図１より図４に代表される形であり刈払機に取り付ける面はロックプレート４となっているが実際は図１５のような取り付け方もある、又図では皿ビス１１でロックプレート４を本体プレートに固定しているがカシメやスポット溶接も可能である。リール２の材質を硬質樹脂とすればバネ材で作るロックレバー５やリール壁面に設ける金属性フック１は図７で示すように埋め込みとしリール２を金属製とするならスポット溶接などで製作する。フック１を始点として図１のように巻きつけられたコード７の終端をコードガイド６に通すが図９のようにθ角をもって外側に伸びる、その理由は単にコードの通し易さのみならず弾力性を持った樹脂コードがまっすぐに戻ろうとしてリールからの巻き戻りをするのを防ぐためである。リールには樹脂コードの焼きつきを防止するため加熱にならぬようにカバーなどは付けない。図１０に示すようにコードガイドは本体プレート１０にカシメ又は溶接で結合される。又図９にてコード７の接する箇所は円柱体の側面で接する形としてコードが強く当たる側のＲは大きくとり弱い当たりのｒ側は小さくてよい。図５、図６にて樹脂コ−ドの突出長は２箇所のロックレバー５を押し下げロックプレート４の溝よりはずしリール２を左右に回転させることにより自由に長さの設定が出来る。レバーはバネの復元力を持って自動的にロック状態と成る。図８、図１１においてボルトナット９は本体プレート１０に金属刃８を取り付けるためのものであるがそのボルトは鋲形の頭で４角形の座を持ち本体プレート１０の角穴１３とはめあいになり工具１本でネジ締めができる、又ナットはゆるみ止めナットを使用する。
（ロ）第二実施例は請求項２に示すようにリールは回転しないタイプで図１３において金属刃の部分が図１のように交換可能になったものである。
（ハ）第三実施例は請求項３に示すように図１において金属刃の部分が図１３のように固定式になったものである。
（ニ）第四実施例は請求項４に示すように最も安価に生産できる簡易型であり図１３、図１４に示されるようにリールは回転しない又金属刃の交換もできないタイプである。樹脂コード製草刈刃が消耗してきたらコードガイドより一旦引き抜きコードを引き伸ばす方向のコードガイドに差し替える必要がある、又実際上はコードガイドを４箇所設ける必要がありコードが刃の所のコードガイドの位置にあるときにラフな草刈り作業をした場合は自身の金属刃で切られる可能性があるがこれでさえ現状の作業時間をはるかに短縮できる。リールが固定の場合はフック代用穴１４に樹脂製コードを内側より差込み巻きはじめとする事も出来る。
（ホ）第五実施例は図１５に示すようには刈払機のヘッドがリール内にもぐりこんだ形であり図は第四実施例の場合を描写しているが以上の全形式に採用でき、全体はよりコンパクトな設計となり安全性も高いがヘッドが大きい刈払機によっては取り付けできない。
（ヘ）第５頁の図１２に請求項１、請求項２に記載の刈払機用二種合体草刈刃において使用する替刃の種類を示している。Ｅタイプは研ぎなおしできるタイプであり刃部は４面に付くＦタイプはチップソーであり切れ味は良いが研ぎなおしはきかない、Ｇ，Ｈは以上の金属刃で取り付け穴の異なるタイプである。
【図面の簡単な説明】
【０００９】
【図１】本発明請求項１の斜視図
【図２】図１の正面図
【図３】図１の平面図
【図４】図３のＡ−Ａ断面図
【図５】ロックプレート斜視図
【図６】リール斜視図
【図７】図６のＡ部フックとＢ部ロックレバー部の拡大断面図
【図８】本体プレート１０の斜視図
【図９】図８のＣ部詳細平面図
【図１０】図８のＣ部詳細正面図
【図１１】図８のＤ部ボルトナットの拡大図
【図１２】本発明請求項１、２に使用する替え刃の種類
【図１３】本発明請求項４の斜視図
【図１４】図１３の正面一部断面図
【図１５】刈払機ヘッドの取り付け位置参考図
【図１６】特許文献１
【図１７】特許文献２
【図１８】特許文献３
【符号の説明】
【００１０】    １はフック
２はリール
３は刈払機ヘッド
４はロックプレート
５はロックレバー
６はコードガイド
７は樹脂コード製草刈刃
８は金属製草刈刃
９はボルトナット
１０は本体プレート
１１は皿ビス
１２は草刈刃取り付けナット
１３は角穴
１４はフック代用穴
【図１】
2007252359.tif 000003
【図２】
2007252359.tif 000004
【図３】
2007252359.tif 000005
【図４】
2007252359.tif 000006
【図５】
2007252359.tif 000007
【図６】
2007252359.tif 000008
【図７】
2007252359.tif 000009
【図８】
2007252359.tif 000010
【図９】
2007252359.tif 000011
【図１０】
2007252359.tif 000012
【図１１】
2007252359.tif 000013
【図１２】
2007252359.tif 000014
【図１３】
2007252359.tif 000015
【図１４】
2007252359.tif 000016
【図１５】
2007252359.tif 000017
【図１６】
2007252359.tif 000018
【図１７】
2007252359.tif 000019
【図１８】
2007252359.tif 000020